(57)【要約】【課題】塀の直線部分に設けた凹部、コーナ部分に設けた凹部に共通の取付け部材で平面視円弧状をした格子体を取付ける。【解決手段】格子体５の側端部に取着部６を設ける。直線状をした主体部７の両端部にそれぞれ上記取着部６に取付け可能な取付け部８を設けて取付け部材４を構成する。両取付け部８のうち一方の取付け部８を格子体５の側端部の取着部６に取付けた状態で平面視で円弧状をした格子体５の両側端部を結ぶ仮想線上又は該仮想線と平行に取付け部材４の直線状の主体部７が位置する。両取付け部８のうち他方の取付け部８を格子体５の側端部の取着部６に取付けた状態で平面視で円弧状をした格子体５の両側端部を結ぶ仮想線に対して取付け部材４の直線状の主体部７が平面視で上記円弧状の凸方向と反対方向に任意の角度傾いている。【選択図】        図１
2004232244.tif 000002
【特許請求の範囲】
【請求項１】
コンクリートやコンクリートブロックよりなる塀の凹部に配設される格子であり、この格子を平面視円弧状をした格子体と、格子体の側端部に一端部を取付けて他端部をコンクリートやコンクリートブロックよりなる塀内に埋設する取付け部材とで構成し、格子体の側端部に取着部を設け、直線状をした主体部の両端部にそれぞれ上記取着部に取付け可能な取付け部を設けて取付け部材を構成し、両取付け部のうち一方の取付け部を格子体の側端部の取着部に取付けた状態で平面視で円弧状をした格子体の両側端部を結ぶ仮想線上又は該仮想線と平行に取付け部材の直線状の主体部が位置し、且つ、両取付け部のうち他方の取付け部を格子体の側端部の取着部に取付けた状態で平面視で円弧状をした格子体の両側端部を結ぶ仮想線に対して取付け部材の直線状の主体部が平面視で上記円弧状の凸方向と反対方向に任意の角度傾いていることを特徴とする塀の凹部に配設する格子の構造。
【請求項２】
両取付け部のうち他方の取付け部を格子体の側端部の取着部に取付けた状態で平面視で円弧状をした格子体の両側端部を結ぶ仮想線に対して取付け部材の直線状の主体部が平面視で上記円弧状の凸方向と反対方向に傾いている角度が円弧状をした円弧の中心角の略半分であることを特徴とする請求項１記載の塀の凹部に配設する格子の構造。
【請求項３】
取付け部材の両端部の取付け部がそれぞれ直線状をした主体部よりも巾広又は取付け部材に対して屈曲した抜け止め部となっていることを特徴とする請求項１又は請求項２のいずれかに記載の塀の凹部に配設する格子の構造。
【発明の詳細な説明】
【０００１】
【発明の属する技術分野】
本発明は、コンクリートやコンクリートブロックよりなる塀の凹部に配設する格子の構造に関するものである。
【０００２】
【従来の技術】
従来からコンクリートやコンクリートブロックよりなる塀の凹部に金属製、合成樹脂製、木製等の格子体を取付けて塀の外観を向上させるようにすることが行われている。（例えば、特許文献１参照）
ところで、上記特許文献１に示すような従来例を概略的に図示すると図１３に示すようになり、この図１３に示すようにコンクリートやコンクリートブロックよりなる平面視直線状の平坦な塀１の凹部２に平面視直線状の平坦な格子体５を取付け部材４により取付けているだけなので、凹部２に格子体５を配設するといえども立体感に乏しいという問題があった。
【０００３】
上記特許文献１における格子体５は平面視直線状をしているが、格子体５として平面視略円弧状をしたものも知られている。（例えば、特許文献２参照）
そこで、コンクリートやコンクリートブロックよりなる塀１の凹部２に特許文献２に示されるような格子体５を配設することが考えられる。これを概略図として示すと図１４のようになり、図１３に示す従来例に比べて立体感に富んだ塀１とすることができる。
【０００４】
ところで、塀１は敷地の周りに沿って形成するものであるから、平面視で直線となった部分もあれば、コーナ部分も存在する。
【０００５】
塀１の直線部分に設けた凹部２に上記平面視円弧状をした格子体５を配設して取付けるには平面視円弧状をした格子体５の両側端部に取付け部材４の一端部を取付けて格子を構成し、取付け部材４の他端部をコンクリートやコンクリートブロックよりなる塀１の厚み内に埋設することで格子体５を取付けるものである。
ここで、取付け部材４の主体部７は直線状をしていて平面視円弧状をした格子体５の両端部間を結ぶ仮想線Ｌ上に位置するように取付けてあり、これにより平面視直線状をした塀１の凹部２に平面視円弧状をした格子体５を配設して両側の直線状の取付け部材４の主体部７をコンクリートやコンクリートブロックよりなる塀１の厚み内に埋設することができるものである。
【０００６】
一方、コンクリートやコンクリートブロックよりなる塀１のコーナ部、例えば９０°に曲がった塀１のコーナ部（コーナ部の両側の直線状の部分同士のなす角度が９０°となっているコーナ部）に凹部２を設け、ここに平面視円弧状の格子体５を配設して取付ける場合、上記のように取付け部材４の直線状の主体部７が平面視円弧状をした格子体５の両端部間を結ぶ仮想線Ｌ上に位置するように取付けたものの場合、図１５の二点鎖線に示すように取付け部材４の直線状をした主体部７の他端部がコンクリートやコンクリートブロックよりなる塀１の表面から外にはみ出してしまうおそれがあり、このため、コーナ部においては平面視円弧状をした格子体５の両端部を結ぶ仮想線Ｌに対して取付け部材４の直線状の主体部７が平面視で上記円弧状の凸方向と反対方向に任意の角度傾くように取付けられるものを別に用意して図１５の破線に示すようにコンクリートやコンクリートブロックよりなる塀１の厚み内に埋設する必要がある。このため、取付け部材４として多種類のものが必要となり、部材点数が増加するという問題がある。
【０００７】
【特許文献１】
特開平９−７８８９１号公報
【特許文献２】
特開２０００−１７８９９号公報
【０００８】
【発明が解決しようとする課題】
本発明は上記の点に鑑みてなされたものであり、コンクリートやコンクリートブロックよりなる塀の凹部に平面視円弧状をした格子体を配設して取付けるに当たって、塀の直線部分に設けた凹部に平面視円弧状をした格子体を配設して取付ける場合も塀のコーナ部分に設けた凹部に平面視円弧状をした格子体を配設して取付ける場合も同じ取付け部材を用いて確実に取付けることができ、また、コンクリートやコンクリートブロックよりなる塀に対して格子体との接続に使用しない方の取付け部を利用して取付け部材が抜けないように確実に埋設できる塀の凹部に配設する格子の構造を提供することを課題とするものである。
【０００９】
【課題を解決するための手段】
上記課題を解決するために本発明に係る塀の凹部に配設する格子の構造は、コンクリートやコンクリートブロックよりなる塀１の凹部２に配設される格子３であり、この格子３を平面視円弧状をした格子体５と、格子体５の側端部に一端部を取付けて他端部をコンクリートやコンクリートブロックよりなる塀１内に埋設する取付け部材４とで構成し、格子体５の側端部に取着部６を設け、直線状をした主体部７の両端部にそれぞれ上記取着部６に取付け可能な取付け部８を設けて取付け部材４を構成し、両取付け部８のうち一方の取付け部８を格子体５の側端部の取着部６に取付けた状態で平面視で円弧状をした格子体５の両側端部を結ぶ仮想線Ｌ上又は該仮想線Ｌと平行に取付け部材４の直線状の主体部７が位置し、且つ、両取付け部８のうち他方の取付け部８を格子体５の側端部の取着部６に取付けた状態で平面視で円弧状をした格子体５の両側端部を結ぶ仮想線Ｌに対して取付け部材４の直線状の主体部７が平面視で上記円弧状の凸方向と反対方向に任意の角度傾いていることを特徴とするものである。
【００１０】
このような構成とすることで、取付け部材４の両端部に設けた取付け部８のいずれかを選択して平面視円弧状をした格子体５の側端部の取着部６に取付けることで、塀１の直線部分に設けた凹部２に平面視円弧状をした格子体５を配設して取付ける場合、塀１のコーナ部分に設けた凹部２に平面視円弧状をした格子体５を配設して取付ける場合のいずれの場合も取付け部材４の他端部をコンクリートやコンクリートブロックよりなる塀１内に確実に埋設して取付けることができるものである。
【００１１】
また、両取付け部８のうち他方の取付け部８を格子体５の側端部の取着部６に取付けた状態で平面視で円弧状をした格子体５の両側端部を結ぶ仮想線Ｌに対して取付け部材４の直線状の主体部７が平面視で上記円弧状の凸方向と反対方向に傾いている角度が円弧状をした円弧の中心角の略半分とすることが好ましい。
【００１２】
このような構成とすることで、コンクリートやコンクリートブロックよりなる塀１のコーナ部が最も一般的な略９０°の曲がり角度となっている場合において、コンクリートやコンクリートブロックよりなる塀１の平面視直線部分に平面視で塀１の直線と平行な状態で塀１の厚み内に埋設することができるものである。
【００１３】
また、取付け部材４の両端部の取付け部８がそれぞれ直線状をした主体部７よりも巾広又は取付け部材４に対して屈曲した抜け止め部９となっていることが好ましい。
【００１４】
このような構成とすることで、格子体５の取着部６に取付けない方の取付け部８がコンクリートやコンクリートブロックよりなる塀１内に埋設されてこの部分が抜け止め部９となって、取付け部材４の塀１への埋設強度を向上させることができるものである。
【００１５】
【発明の実施の形態】
以下、本発明を添付図面に示す実施形態に基づいて説明する。
【００１６】
格子３は格子体５と、格子体５の端部に取付ける取付け部材４とで構成してある。
【００１７】
格子体５は金属製、合成樹脂製、木製により形成してある。本発明における格子体５は格子模様があるものだけに限定されるものではなく、他の模様を設けたもの、あるはい面板を取付けたもの等も本発明における格子体５の概念に含まれるものである。格子体５は平面視円弧状をしており、左右両側端部にそれぞれ取付け部材４を取付けるための取着部６と、格子体５同士を横方向に連結するための連結部１０とが設けてある。添付図面に示す実施形態では格子体５の左右両側端部の上下方向の中央部に取着部６を設け、格子体５の左右両側端部の上下両端部にそれぞれ連結部１０を設けた実施形態が示してあるが、格子体５の左右方向の両端部に取着部６及び連結部１０を設けるに当たって、添付図面に示されるもののみに限定されず、数及び上下方向位置は特に限定されるものではない。また、格子体５の左右方向の中央部の下端部には下取着部１１が設けてある。
【００１８】
平面視円弧状をした格子体５の円弧の中心角は特に限定はないが、例えは、円弧の中心角が略９０°又は略４５°又は略３０°とすると、コンクリートやコンクリートブロックよりなる塀１のコーナ部分が略９０°となった部分に設けた凹部２に格子体５を配設する場合に適している。つまり、コンクリートやコンクリートブロックよりなる塀１のコーナ部分が略９０°となった部分に設けた凹部２（コーナ部の両側の直線状の部分同士のなす角度が９０°となりコーナ部分である凹部２の底面は開き角度が９０°となった平面視円弧状となっている）に格子体５を配設する場合に適している。この場合、円弧の中心角が略９０°の格子体５の場合には１つの格子体５を塀１のコーナ部に配設すればよく、また、円弧の中心角が略４５°の格子体５の場合には２つの平面視円弧状の格子体５を並べて塀１のコーナ部に配設すればよく、また、円弧の中心角が略３０°の格子体５の場合には３つの平面視円弧状の格子体５を並べて塀１のコーナ部に配設すればよいものである。
【００１９】
取付け部材４は図１２に示すように、直線状をした主体部７の両端部にそれぞれ上記取着部６に取付け可能な取付け部８を設けて構成してある。主体部７は直線状をした管、棒、帯材、あるいはチャンネル材等よりなり、直線状をした主体部７の両端部に設けた取付け部８は取付け片１４と位置決め片１５とよりなるＬ状をしていて、このＬ状をした取付け部８の直線状の主体部７に対する突出方向が異なっていて、一方の取付け部８が直線用の取付け部８ａとなり、他方の取付け部８がコーナ用取付け部８ｂとなっており、両取付け部８ａ、８ｂの取付け片１４の直線状の主体部７の長手方向に対する角度が異なっている。
【００２０】
すなわち、図１に示すように、直線状をした主体部７の両端部に設けた取付け部８のうち一方の取付け部８である直線用の取付け部８ａを格子体５の側端部の取着部６に取付けた状態で平面視で円弧状をした格子体５の両側端部を結ぶ仮想線Ｌ上又は該仮想線Ｌと平行に取付け部材４の直線状の主体部７が位置し、且つ、図５に示すように、両取付け部８のうち他方の取付け部８であるコーナ用取付け部８ｂを格子体５の側端部の取着部６に取付けた状態で平面視で円弧状をした格子体５の両側端部を結ぶ仮想線Ｌに対して取付け部材４の直線状の主体部７が平面視で上記円弧状の凸方向と反対方向に任意の角度α傾くようになっている。
【００２１】
上記角度αは円弧状をした円弧の中心角の略半分とすることが好ましいものでらう。例えば、格子体５の円弧の中心角度が略９０°の場合には上記角度αが略４５°、格子体５の円弧の中心角度が略６０°の場合には上記角度αが略３０°、格子体５の円弧の中心角度が略４５°の場合には上記角度αが略２２．５°とするものであり、これによりコンクリートやコンクリートブロックよりなる塀１のコーナ部分が略９０°となった部分に設けた凹部２に円弧の中心角が略９０°の格子体５の場合には１つの格子体５を配設した場合に連結部材４の主体部７を塀１のコーナ部の両側の平面視直線状となった部分に該直線と平行に塀１の厚み内に埋設できるものであり、また、塀１のコーナ部分が略９０°となった部分に設けた凹部２に円弧の中心角が略４５°の格子体５を２つ接続して配設した場合には２つの格子体５の各外側の取着部６に取付けた連結部材４の主体部７を塀１のコーナ部の両側の平面視直線状となった部分に該直線と平行に塀１の厚み内に埋設できるものであり、また、塀１のコーナ部分が略９０°となった部分に設けた凹部２に円弧の中心角が略３０°の格子体５を３つ接続して配設した場合には両側に位置する格子体５の各外側の取着部６に取付けた連結部材４の主体部７を塀１のコーナ部の両側の平面視直線状となった部分に該直線と平行に塀１の厚み内に埋設できるものである。
【００２２】
取付け部材４の取付け部８を格子体５の取着部６に取付けるには取着部６に取付け部８の取付け片１４を重ねると共に取着部６の先端面に位置決め片１５を当てて位置決めした状態で図３や図７に示すようにボルト１２、ナット１３により取付けるものである。
【００２３】
上記のように格子体５と取付け部材４とよりなる格子３はコンクリートやコンクリートブロックよりなる塀１に形成した上方及び前後方向に開口した凹部２又は前後方向に開口した凹部２に配設し、取付け部材４の他端部側をコンクリートやコンクリートブロックよりなる塀１に埋設することで取付けるものである。取付け部材４を塀１の厚み内に埋設した後に取付け部材４に格子体５を取付けてもよく、あるいは、格子体５に取付け部材４を取付けた後に、取付け部材４を塀１の厚み内に埋設するようにしてもよい。
【００２４】
ここで、コンクリートやコンクリートブロックよりなる塀１の平面視直線状となった部分に形成した凹部２に格子体５を配設して取付けるに当たっては、図１乃至図４に示すように、格子体５の取着部６に取付け部材４の両端部に設けた取付け部８のうち直線用の取付け部８ａを取付けて取付け部材４の直線状の主体部７が平面視で円弧状をした格子体５の両側端部を結ぶ仮想線Ｌ上又は該仮想線Ｌと平行となるようにし、直線状の主体部８及び主体部８の他端部のコーナ用の取付け部８ｂをコンクリートやコンクリートブロックよりなる塀１の凹部２の両側の直線状をした部分の厚み方向の略中央部に埋設するものである。ここで、格子体５の下取着部１１に別の取付け部材４の直線用の取付け部８ａをボルト、ナットにより取付け、該別の取付け部材４の直線状の主体部７とコーナ用の取付け部８ｂとをコンクリートやコンクリートブロックよりなる塀１の凹部２下の部分の内部に埋設する。
【００２５】
また、コンクリートやコンクリートブロックよりなる塀１のコーナ部分に形成した凹部２に格子体５を配設して取付けるに当たっては、図５乃至図７に示すように、格子体５の取着部６に取付け部材４の両端部に設けた取付け部８のうちコーナ用の取付け部８ｂを取付けて取付け部材４の直線状の主体部７が平面視で円弧状をした格子体５の両側端部を結ぶ仮想線Ｌに対して直線状の主体部７が平面視で上記円弧状の凸方向と反対方向に任意の角度α傾くようにし、直線状の主体部８及び主体部８の他端部の直線用の取付け部８ａをコンクリートやコンクリートブロックよりなる塀１のコーナ部に形成した凹部２の両側の直線状をした部分の厚み方向の略中央部に埋設するものである。この実施形態でも格子体５の下取着部１１に別の取付け部材４を上記のように取付けて取付け部材４をコンクリートやコンクリートブロックよりなる塀１の凹部２下の部分の内部に埋設する。
【００２６】
図５乃至図７にはコンクリートやコンクリートブロックよりなる塀１のコーナ部分に形成した凹部２に平面視円弧状をした格子体５を１つ配設して取付けた例を示したが、コンクリートやコンクリートブロックよりなる塀１のコーナ部分に形成した凹部２に平面視円弧状をした格子体５を２つ以上横に接続して配設してもよいものである。
【００２７】
図８、図９にはその一例として２つの格子体５を配設した例を示している。図８の実施形態においてはコンクリートやコンクリートブロックよりなる塀１のコーナ部分が略９０°となった部分に設けた凹部２に円弧の中心角が略４５°となった格子体５を２つ配設してある。そして、平面視円弧状をした２つの格子体５を円弧が連続するように並べて一方の格子体５の一側端の連結部１０と他方の格子体５の一側端の連結部１０とを図１０のように連結金具１６を介して連結し、このように連結した２つの格子体５を塀１の略９０°となったコーナ部分に設けた凹部２に配置し、各格子体５の外側の側端の取着部６に取付け部材４のコーナ用の取付け部８ｂをボルト１２、ナット１３により取付けると共に取付け部材４の直線状の主体部７と直線用の取付け部８ａとを塀１のコーナの凹部２の両側の平面視直線状の部分に埋設するものである。
【００２８】
なお、複数の格子体５を横に連結して凹部２に配設する場合、格子体５同士を連結するに当たり、図１１に示すように格子体５の側端部に回動板１７を嵌め込む凹所１８を設け、回動板１７の両端部を隣接する格子体５の凹所１８に入れて縦軸１９により回動自在に取付けることで格子体５同士を回動自在に連結するようにしてもよい。このようにすると、格子体５同士を回動して塀１のコーナ部の形状に合わせることができるものである。
【００２９】
ところで、直線状の主体部７の両端部に設けた両取付け部８はそれぞれ直線状をした主体部７よりも巾広又は取付け部材４に対して屈曲した抜け止め部９となっており、これにより格子体５の取着部６に取付けない方の取付け部８がコンクリートやコンクリートブロックよりなる塀１内に埋設されてこの部分が抜け止め部９となって、取付け部材４の塀１への埋設強度を向上させることができるものである。
【００３０】
【発明の効果】
上記のように本発明の請求項１記載の発明にあっては、格子体の側端部に取着部を設け、直線状をした主体部の両端部にそれぞれ上記取着部に取付け可能な取付け部を設けて取付け部材を構成し、両取付け部のうち一方の取付け部を格子体の側端部の取着部に取付けた状態で平面視で円弧状をした格子体の両側端部を結ぶ仮想線上又は該仮想線と平行に取付け部材の直線状の主体部が位置し、且つ、両取付け部のうち他方の取付け部を格子体の側端部の取着部に取付けた状態で平面視で円弧状をした格子体の両側端部を結ぶ仮想線に対して取付け部材の直線状の主体部が平面視で上記円弧状の凸方向と反対方向に任意の角度傾いているので、取付け部材の両端部に設けた異なる取付け部のいずれかを選択して平面視円弧状をした格子体の側端部の取着部に取付けることで、塀の直線部分に設けた凹部に平面視円弧状をした格子体を配設して取付ける場合、塀のコーナ部分に設けた凹部に平面視円弧状をした格子体を配設して取付ける場合のいずれの場合のいずれの場合も取付け部材の他端部をコンクリートやコンクリートブロックよりなる塀内に確実に埋設して取付けることができ、このように共通の取付け部材を共通化できるので、部材点数を減少させることができるものである。
【００３１】
また、請求項２記載の発明にあっては、上記請求項１記載の発明の効果に加えて、両取付け部のうち他方の取付け部を格子体の側端部の取着部に取付けた状態で平面視で円弧状をした格子体の両側端部を結ぶ仮想線に対して取付け部材の直線状の主体部が平面視で上記円弧状の凸方向と反対方向に傾いている角度が円弧状をした円弧の中心角の略半分であるので、コンクリートやコンクリートブロックよりなる塀のコーナ部が最も一般的な９０°の曲がり角度となっている場合において、コンクリートやコンクリートブロックよりなる塀の平面視直線部分に平面視で塀の直線と平行な状態で塀の厚み内に正確に埋設することができるものである。
【００３２】
また、請求項３記載の発明にあっては、上記請求項１又は請求項２記載の発明の効果に加えて、取付け部材の両端部の取付け部がそれぞれ直線状をした主体部よりも巾広又は取付け部材に対して屈曲した抜け止め部となっているので、格子体の取着部に取付けない方の取付け部がコンクリートやコンクリートブロックよりなる塀内に埋設されてこの部分が抜け止め部となって、取付け部材の塀への埋設強度が増して格子体の取付け強度が向上するものであり、しかも、取付け部が抜け止め部を兼用しているので構造が簡略化できるものである。
【図面の簡単な説明】
【図１】本発明の格子を平面視直線状をした塀の凹部に配設して取付けた例を示す平面図である。
【図２】同上の正面図である。
【図３】同上の取付け部材の一端部を格子体に取付けると共に他端部を塀に埋設した部分の拡大断面図である。
【図４】同上の格子体の取付け部材の一端部を下取付け部に取付けると共に他端部を塀の凹部の下方部位に埋設した部分の拡大断面図である。
【図５】同上の格子を塀のコーナ部に設けた凹部に配設して取付けた例を示す断面図である。
【図６】同上の正面図である。
【図７】同上の取付け部材の一端部を格子体に取付けると共に他端部を塀に埋設した部分の拡大断面図である。
【図８】同上の２枚の格子を塀のコーナ部に設けた凹部に配設して取付けた例を示す平面図である。
【図９】同上の格子体同士を連結した部分の断面図である。
【図１０】同上の格子体同士を連結した部分の正面図である。
【図１１】同上の格子体同士を連結する他例を示す斜視図である。
【図１２】同上に用いる取付け部材を示し、（ａ）は正面図であり、（ｂ）は平面図である。
【図１３】従来例を示す概略平面図である。
【図１４】他の従来例を示す概略平面図である。
【図１５】更に他の従来例を示す概略平面図である。
【符号の説明】
１  塀
２  凹部
３  格子
４  取付け部材
５  格子体
６  取着部
７  主体部
８  取付け部
９  抜け止め部
【図１】
2004232244.tif 000003
【図２】
2004232244.tif 000004
【図３】
2004232244.tif 000005
【図４】
2004232244.tif 000006
【図５】
2004232244.tif 000007
【図６】
2004232244.tif 000008
【図７】
2004232244.tif 000009
【図８】
2004232244.tif 000010
【図９】
2004232244.tif 000011
【図１０】
2004232244.tif 000012
【図１１】
2004232244.tif 000013
【図１２】
2004232244.tif 000014
【図１３】
2004232244.tif 000015
【図１４】
2004232244.tif 000016
【図１５】
2004232244.tif 000017